(57)【特許請求の範囲】
【請求項１】
基地局がユーザ装置ＵＥに、複数のアクセスポイント間の時間遅延差及び位相校正情報を測定して、前記時間遅延差及び位相校正情報を返すように前記ＵＥに指示するメッセージを送信するステップＡと、
前記基地局が、前記ＵＥが返した前記複数のアクセスポイント間の時間遅延差及び位相校正情報に基づいて、前記複数のアクセスポイント間の時間遅延差及び位相差を校正するステップＢと
を含む複数のアクセスポイント間の偏差校正方法。
【請求項２】
前記ステップＡにおいて、前記基地局が前記ＵＥに、複数のアクセスポイント間の時間遅延差及び位相校正情報を測定して、前記時間遅延差及び位相校正情報を返すように前記ＵＥに指示するメッセージを送信する時に、前記基地局は、幅校正情報を測定して、前記幅校正情報を返すように前記ＵＥに指示するメッセージを更に前記ＵＥに送信し、
前記ステップＢにおいて、前記基地局は前記複数のアクセスポイント間の時間遅延差及び位相差を校正する時に、前記ＵＥが返した前記時間遅延差及び位相差校正情報以外、前記ＵＥが返した前記幅校正情報にも基づく
ことを含む請求項１に記載の方法。
【請求項３】
基地局がユーザ装置ＵＥに、複数のアクセスポイント間の位相校正情報を測定して、測定された複数のアクセスポイント間の位相校正情報を返すように前記ＵＥに指示するメッセージを送信するステップＡと、
前記基地局が、前記ＵＥが返した前記複数のアクセスポイント間の位相校正情報及び前記基地局自体が測定した時間遅延差に基づいて、前記複数のアクセスポイント間の時間遅延差及び位相差を校正するステップＢと
を含む複数のアクセスポイント間の偏差校正方法。
【請求項４】
前記ステップＡにおいて、前記基地局が前記ＵＥに、複数のアクセスポイント間の位相校正情報を測定して、測定された複数のアクセスポイント間の位相校正情報を返すように前記ＵＥに指示するメッセージを送信する時に、前記基地局は、複数のアクセスポイント間の幅校正情報を測定して、前記幅校正情報を返すように前記ＵＥに指示するメッセージを更に前記ＵＥに送信し、
前記ステップＢにおいて、前記基地局は前記複数のアクセスポイント間の時間遅延差及び位相差を校正する時に、前記ＵＥが返した前記複数のアクセスポイント間の位相校正情報、及び前記基地局自体が測定した時間遅延差以外、前記ＵＥが返した前記複数のアクセスポイント間の幅校正情報にも基づく
ことを含む請求項３に記載の方法。
【請求項５】
基地局がユーザ装置ＵＥに、複数のアクセスポイント間の時間遅延差及び位相校正情報を測定して、測定された時間遅延差におけるチャンネル時間遅延差及び測定された位相校正情報を返すように前記ＵＥに指示するメッセージを送信するステップＡと、
前記基地局が、前記ＵＥが返した前記複数のアクセスポイント間のチャンネル時間遅延差及び位相校正情報、並びに前記基地局自体が測定した複数のアクセスポイント間の時間遅延差におけるタイミング同期偏差に基づいて、複数のアクセスポイント間の時間遅延差及び位相差を校正するステップＢと
を含む複数のアクセスポイント間の偏差校正方法。
【請求項６】
前記ステップＡにおいて、前記基地局が前記ＵＥに、複数のアクセスポイント間の時間遅延差及び位相校正情報を測定して、測定された時間遅延差におけるチャンネル時間遅延差及び測定された位相校正情報を返すように前記ＵＥに指示するメッセージを送信する時に、前記基地局は、複数のアクセスポイント間の幅校正情報を測定して、幅校正情報を返すように前記ＵＥに指示するメッセージを更に前記ＵＥに送信し、
前記ステップＢにおいて、前記基地局は前記複数のアクセスポイント間の時間遅延差及び位相差を校正する時に、前記ＵＥが返した前記複数のアクセスポイント間のチャンネル時間遅延差及び位相校正情報、並びに前記基地局自体が測定した複数のアクセスポイント間の時間遅延差におけるタイミング同期偏差以外、前記ＵＥが返した前記複数のアクセスポイント間の幅校正情報にも基づく
ことを含む請求項５に記載の方法。
【請求項７】
ユーザ装置ＵＥが、基地局が送信する、複数のアクセスポイント間の時間遅延差及び位相校正情報を測定して返すように前記ＵＥに指示するメッセージを受信するステップＡ、
前記ＵＥが、前記基地局の指示に基づいて、前記時間遅延差及び位相校正情報を測定して、前記時間遅延差及び位相校正情報を前記基地局に返し、これにより、前記基地局が、前記ＵＥが返した前記時間遅延差及び位相校正情報に基づいて、時間遅延差及び位相情報を校正するステップＢ、
又は、
ユーザ装置ＵＥが、基地局が送信する、複数のアクセスポイント間の位相校正情報を測定して返すように前記ＵＥに指示するメッセージを受信するステップＡ、
前記ＵＥが、前記基地局の指示に基づいて、前記位相校正情報を測定して、前記位相校正情報を前記基地局に返し、これにより、前記基地局が、前記ＵＥが返した位相校正情報及び前記基地局自体が測定した時間遅延差に基づいて、時間遅延差及び位相情報を校正するステップＢ、
又は、
ユーザ装置ＵＥが、基地局が送信する、複数のアクセスポイント間のチャンネル時間遅延差を含む時間遅延差及び位相校正情報を測定して返すように前記ＵＥに指示するメッセージを受信するステップＡ、
前記ＵＥが、前記基地局の指示に基づいて、前記時間遅延差及び位相校正情報を測定して、前記チャンネル時間遅延差及び位相校正情報を基地局に返し、これにより、前記基地局が、前記ＵＥが返した前記チャンネル時間遅延差及び位相校正情報、並びに前記基地局自体が測定したタイミング偏差に基づいて、時間遅延差及び位相差を校正するステップＢ、
を含む複数のアクセスポイント間の偏差校正方法。
【請求項８】
前記ステップＡは、前記ＵＥが、前記基地局が送信する、複数のアクセスポイント間の幅校正情報を測定して返すように前記ＵＥに指示するメッセージを受信することをさらに含み、
前記ステップＢは、前記ＵＥが、前記基地局の指示に基づいて、前記幅校正情報を測定し、前記幅校正情報を前記基地局に返すことをさらに含む請求項７に記載の方法。
【請求項９】
前記ステップＢにおいて、前記ＵＥが前記位相校正情報を測定することは、
各アクセスポイントのチャンネル行列に基づいて、前記各アクセスポイントの間の時間遅延差を測定し、前記測定された時間遅延差に基づいて前記各アクセスポイントのチャンネル行列を修正し、修正後のチャンネル行列に基づいて前記位相校正偏差を測定することを含む請求項７に記載の方法。
【請求項１０】
前記ステップＢにおいて、前記ＵＥが前記基地局に時間遅延差又は位相校正情報を返すと同時に、プリコーディング行列インジケータ情報を運び、該プリコーディング行列インジケータ情報は、前記ＵＥに送信するデータをコーディングするように前記基地局に指示することに用いられ、
そのうち、前記プリコーディング行列インジケータ情報は、前記ＵＥが各アクセスポイントのチャンネル行列を修正した後で測定したものである請求項９に記載の方法。
【請求項１１】
前記ステップＢにおいて、前記ＵＥが前記基地局の指示に基づいて前記時間遅延差を測定することは、
前記ＵＥが、前記基地局の指示に基づいて、システム帯域幅全体に対して一つの時間遅延差を測定することを含む請求項７に記載の方法。
【請求項１２】
複数のアクセスポイント間の時間遅延差及び位相校正情報を測定して、測定された時間遅延差及び位相校正情報を返すようにユーザ装置ＵＥに指示するメッセージを送信するように設定されている情報送信ユニットと、
前記ＵＥが返した前記複数のアクセスポイント間の時間遅延差及び位相校正情報に基づいて、前記複数のアクセスポイント間の時間遅延差及び位相差を校正するように設定されている偏差校正ユニットと
を含む基地局。
【請求項１３】
前記情報送信ユニットは、前記ＵＥに、複数のアクセスポイント間の時間遅延差及び位相校正情報を測定して、前記時間遅延差及び位相校正情報を返すように前記ＵＥに指示するメッセージを送信する時に、幅校正情報を測定して、前記幅校正情報を返すように前記ＵＥに指示するメッセージを更に前記ＵＥに送信するように設定され、
前記偏差校正ユニットは、前記複数のアクセスポイント間の時間遅延差及び位相差を校正する時に、前記ＵＥが返した前記時間遅延差及び位相校正情報以外、前記ＵＥが返した前記幅校正情報にも基づくように設定されている請求項１２に記載の基地局。
【請求項１４】
複数のアクセスポイント間の位相校正情報を測定して、測定された複数のアクセスポイント間の位相校正情報を返すようにユーザ装置ＵＥに指示するメッセージを送信するように設定されている情報送信ユニットと、
前記ＵＥが返した前記複数のアクセスポイント間の位相校正情報及び基地局自体が測定した時間遅延差に基づいて、複数のアクセスポイント間の時間遅延差及び位相差を校正するように設定されている偏差校正ユニットと
を含む基地局。
【請求項１５】
前記情報送信ユニットは、前記ＵＥに、複数のアクセスポイント間の位相校正情報を測定して、測定された複数のアクセスポイント間の位相校正情報を返すように前記ＵＥに指示するメッセージを送信する時に、幅校正情報を測定して、前記幅校正情報を返すように前記ＵＥに指示するメッセージを更に前記ＵＥに送信するように設定され、
前記偏差校正ユニットは、前記複数のアクセスポイント間の時間遅延差及び位相差を校正する時に、前記ＵＥが返した前記複数のアクセスポイント間の位相差校正情報及び基地局自体が測定した時間遅延差以外、前記ＵＥが返した前記幅校正情報にも基づくように設定されている請求項１４に記載の基地局。
【請求項１６】
複数のアクセスポイント間の時間遅延差及び位相校正情報を測定して、測定された時間遅延差におけるチャンネル時間遅延差及び測定された位相校正情報を返すようにユーザ装置ＵＥに指示するメッセージを送信するように設定されている情報送信ユニットと、
前記ＵＥが返した前記複数のアクセスポイント間のチャンネル時間遅延差及び位相校正情報、並びに基地局自体が測定した複数のアクセスポイント間の時間遅延差におけるタイミング同期偏差に基づいて、複数のアクセスポイント間の時間遅延差及び位相差を校正するように設定されている偏差校正ユニットと
を含む基地局。
【請求項１７】
前記情報送信ユニットは、前記ＵＥに、複数のアクセスポイント間の時間遅延差及び位相校正情報を測定して、測定された時間遅延差におけるチャンネル時間遅延差及び測定された位相校正情報を返すように前記ＵＥに指示するメッセージを送信する時に、幅校正情報を測定して、前記幅校正情報を返すように前記ＵＥに指示するメッセージを更に前記ＵＥに送信するように設定され、
前記偏差校正ユニットは、前記複数のアクセスポイント間の時間遅延差及び位相差を校正する時に、前記ＵＥが返した前記複数のアクセスポイント間のチャンネル時間遅延差及び位相校正情報、並びに基地局自体が測定した複数のアクセスポイント間の時間遅延差におけるタイミング同期偏差以外、前記ＵＥが返した前記幅校正情報にも基づくように設定されている請求項１６に記載の基地局。
【請求項１８】
基地局が送信する、複数のアクセスポイント間の時間遅延差及び位相校正情報を測定して返すように指示するメッセージを受信するように設定されている情報受信ユニットと、
前記基地局の指示に基づいて、前記時間遅延差及び位相校正情報を測定して、前記時間遅延差及び位相校正情報を前記基地局に返し、これにより、前記基地局が、前記返した時間遅延差及び位相校正情報に基づいて、時間遅延差及び位相情報を校正するように設定されている情報送信ユニット、
又は、
基地局が送信する、複数のアクセスポイント間の位相校正情報を測定して、測定された位相校正情報を返すように指示するメッセージを受信するように設定されている情報受信ユニットと、
前記基地局の指示に基づいて、前記位相校正情報を測定して、前記位相校正情報を前記基地局に返し、これにより、前記基地局が、前記返した位相校正情報及び自体が測定した時間遅延差に基づいて、時間遅延差及び位相情報を校正するように設定されている情報送信ユニット、
又は、
基地局が送信する、前記複数のアクセスポイント間のチャンネル時間遅延差とを含む時間遅延差及び位相校正情報を測定して、測定されたチャンネル時間遅延差及び位相校正情報を返すように指示するメッセージを受信するように設定されている情報受信ユニットと、
前記基地局の指示に基づいて、前記時間遅延差及び位相校正情報を測定して、前記チャンネル時間遅延差及び位相校正情報を基地局に返し、これにより、前記基地局が、前記チャンネル時間遅延差及び位相校正情報、並びに前記基地局自体が測定したタイミング偏差に基づいて、時間遅延差及び位相差を校正するように設定されている情報送信ユニット、
を含むユーザ装置ＵＥ。
【請求項１９】
前記情報受信ユニットは、前記基地局が送信する、複数のアクセスポイント間の幅校正情報を測定して返すように指示するメッセージをさらに受信するように設定され、
前記情報送信ユニットは、前記基地局の指示に基づいて、前記幅校正情報を測定し、前記幅校正情報を前記基地局に返すようにさらに設定されている請求項１８に記載のユーザ装置ＵＥ。
【請求項２０】
前記情報受信ユニットが、前記基地局の送信する、複数のアクセスポイント間の時間遅延差を測定して、測定された時間遅延差を返すように指示するメッセージを受信したならば、
前記情報送信ユニットは、前記基地局の指示に基づいて、前記時間遅延差を測定し、該時間遅延差を前記基地局に返すように設定されている請求項１８に記載のユーザ装置ＵＥ。
【請求項２１】
前記情報送信ユニットは、
各アクセスポイントのチャンネル行列に基づいて、前記各アクセスポイントの間の時間遅延差を測定し、前記測定された時間遅延差に基づいて、前記各アクセスポイントのチャンネル行列を修正し、修正後のチャンネル行列に基づいて、前記位相校正偏差を測定するという方式で前記位相校正情報を測定するように設定されている請求項２０に記載のユーザ装置ＵＥ。
【請求項２２】
前記情報送信ユニットはさらに、前記基地局に時間遅延差又は位相校正情報を返すと同時に、プリコーディング行列インジケータ情報を運び、該プリコーディング行列インジケータ情報は、前記基地局が、前記ＵＥに送信するデータをコーディングするように指示することに用いられるように設定され、
そのうち、前記プリコーディング行列インジケータは、前記ＵＥが各アクセスポイントのチャンネル行列を修正した後で測定したものである請求項２１に記載のユーザ装置ＵＥ。
【請求項２３】
前記情報送信ユニットは、基地局の指示に基づいて、システム帯域幅全体に対して一つの時間遅延差を測定するという方式で前記時間遅延差を測定するように設定されている請求項２０に記載のユーザ装置ＵＥ。
【発明の詳細な説明】
【技術分野】
【０００１】
本発明は、通信技術分野に関し、特に複数のアクセスポイント（Ａｃｃｅｓｓ  Ｐｏｉｎｔ、ＡＰ）間の偏差校正方法、システム及び装置に関する。
【背景技術】
【０００２】
通信技術分野において、人々の未来通信への要求が向上するとともに、セルエッジスペクトル効率はより多く注目される。先進的なロング・ターム・エボリューション（ＬＴＥ−Ａｄｖａｎｃｅｄ）システム中において、システムパフォーマンス及びエッジユーザのスペクトル効率を更に向上させるために、マルチポイント協調型送受信（Ｃｏｍｐ、Ｃｏｏｒｄｉｎａｔｅｄ  ｍｕｌｔｉ−ｐｏｉｎｔ  ｔｒａｎｓｍｉｓｓｉｏｎ／ｒｅｃｅｐｔｉｏｎ）技術を提出した。Ｃｏｍｐ技術は、ユーザ（Ｕｓｅｒ  Ｅｑｕｉｐｍｅｎｔ）が複数のアクセスポイントＡＰのアンテナを利用して協調して情報を送信及び受信する。Ｃｏｍｐ技術は、効果的にセルの情報干渉問題を解決し、これによって無線リンクの情報容量及び確実性を向上させることができる。
【０００３】
図１に示すように、一つの基地局又はセル下には一つの又は複数のアクセスポイントを設置してもよく、Ｃｏｍｐで協調しているマルチポイントは一つのセルからの複数のアクセスポイントであってもよく、複数のセルからの複数のアクセスポイントであってもよい。そのうち、セルは、ユーザ（ＵＥ）端末の主セル及び協調セルを含む。しかしながら、ＣｏｍｐのＡＰポイントが異なる地理位置に分布しているため、複数のＡＰポイントが同時に一つのＵＥに下りデータを送信する時、異なるＡＰが送信したデータが該ＵＥに到達するのにかかる時間が異なり、ＵＥに到達する情報が一定のチャンネル時間遅延差を有することをもたらし、チャンネル時間遅延差は情報周波数領域の位相回転偏差をもたらし、情報がＵＥに到達する位相も一定の偏差を有する。同時に、複数のＡＰポイントが同時にデータを送信する時、異なるＡＰポイント同士も一定のタイミング同期偏差を有し、異なるＡＰポイントが同一のＵＥにデータを送信する時間はある程度不同期である。具体的には、現在、Ｃｏｍｐ技術において、情報のプリコーディングフィードバック達成メカニズムは主に２種類があり、第１類はグローバルプリコーディングであり、即ち複数のＡＰポイントは一つのグローバルのコードブックを共同フィードバックし、情報の位相偏差が存在せず、時間遅延差のみが存在し、第２類はローカルプリコーディング＋ＡＰポイント間の関連情報であり、即ち、各ＡＰポイントはそれぞれ一つの独立コードブックに対応して測定してフィードバックし、同時にＡＰポイント間の関連情報をフィードバックする。そのうち、前記ＡＰポイント間の関連情報は、フィードバックした独立プリコーディング行列インジケータ（Ｔｈｅ  Ｐｒｅｃｏｄｉｎｇ  Ｍａｔｒｉｘ  Ｉｎｄｉｃａｔｉｏ、ＰＭＩ）に基づいて、２つのＡＰの間の位相校正情報、又は２つのＡＰポイントの間のフィードバックチャンネル時間遅延差を測定してフィードバックすることを含む。
【０００４】
上記ＡＰポイントの間のチャンネル時間遅延差及び／又はタイミング同期偏差の累積効果のため、Ｃｏｍｐの異なるＡＰポイントが同時に一つのＵＥに送信するデータ同士は一定のチャンネル時間遅延差を有し、システムパフォーマンスを低下させる。異なるＡＰポイントの偏差を校正することにより、データを送信するＡＰポイントのタイミング同期は偏差がなく、チャンネル時間遅延差はゼロであり、及び位相偏差はゼロであり、システムのパフォーマンスは高くなる。
【０００５】
関連技術は各ＡＰポイントが独立にコーディングをフィードバックしても、グローバルプリコーディングしても、ＵＥは独立に位相校正情報をフィードバックし、時間遅延差による周波数領域の位相回転偏差を克服し、ＵＥがより小さい周波数領域粒度の位相校正情報をフィードバックする必要があり、これにより、フィードバックオーバーヘッドは大きくなり、独立に時間遅延差情報をフィードバックすると、各ＡＰポイントが独立にコードブックをフィードバックすることによる位相差問題を解決することができない。
【０００６】
以上のように、関連技術は、フィードバックオーバーヘッドが比較的小さい場合に、各ＡＰポイントが独立にコードブックをフィードバックすることによる位相差問題を解決できず、及びＡＰポイントの間の時間遅延差問題を解決できず、システムパフォーマンス及びスペクトル効率は低くなる。
【発明の概要】
【発明が解決しようとする課題】
【０００７】
本発明の実施例は複数のアクセスポイント間の偏差校正方法、システム及び装置を提供し、それによって異なるアクセスポイントが同時にＵＥにデータを配信する時、互いの間に存在する偏差の問題を解決し、これによってシステムパフォーマンス及びスペクトル効率を向上させる。
【課題を解決するための手段】
【０００８】
本発明の実施例が提供する複数のアクセスポイント間の偏差校正方法は、
ステップＡ：基地局が、ＵＥが複数のアクセスポイント間の偏差校正情報を測定して返すように、ユーザ装置ＵＥに指示メッセージを送信するステップ、
ステップＢ：基地局が、前記ＵＥが返した複数のアクセスポイント間の偏差校正情報に基づいて、複数のアクセスポイント間の偏差を校正するステップ、
を含む。
【０００９】
本発明の実施例が提供する、別の複数のアクセスポイント間の偏差校正方法は、
ステップＡ：ユーザ装置ＵＥが、基地局が送信した、ＵＥが複数のアクセスポイント間の偏差校正情報を測定して返す指示メッセージを受信するステップ、
ステップＢ：前記ＵＥが、前記基地局の指示に基づいて前記複数のアクセスポイント間の偏差校正情報を測定し、前記偏差校正情報を基地局に返すステップ、
を含む。
【００１０】
本発明の実施例が提供する基地局は、
ＵＥが複数のアクセスポイント間の偏差校正情報を測定して返すように、指示メッセージをユーザ装置ＵＥに送信するように設置される情報送信ユニットと、
前記ＵＥが返した複数のアクセスポイント間の偏差校正情報に基づいて、複数のアクセスポイント間の偏差を校正するように設置される偏差校正ユニットと
を含む。
【００１１】
本発明の実施例が提供するユーザ装置は、
基地局が送信した、ＵＥが複数のアクセスポイント間の偏差校正情報を測定して返す指示メッセージを受信するように設置される情報受信ユニットと、
基地局の指示に基づいて前記複数のアクセスポイント間の偏差校正情報を測定し、前記偏差校正情報を前記基地局に返すように設置される情報送信ユニットと
を含む。
【００１２】
本発明の実施例が提供する通信システムは、
ＵＥが複数のアクセスポイント間の偏差校正情報を測定して返すように、指示メッセージをユーザ装置ＵＥに送信し、及び前記ＵＥが返した複数のアクセスポイント間の偏差校正情報に基づいて、複数のアクセスポイント間の偏差を校正するように設置される基地局と、
基地局が送信する、ＵＥが複数のアクセスポイント間の偏差校正情報を測定して返す指示メッセージを受信し、及び基地局の指示に基づいて前記複数のアクセスポイント間の偏差校正情報を測定し、前記偏差校正情報を基地局に返すように設置されるユーザ装置ＵＥと
を含む。
【発明の効果】
【００１３】
本発明の実施例は、基地局により、ＵＥが複数のアクセスポイント間の偏差校正情報を測定して返すように、ユーザ装置ＵＥに指示メッセージを送信し、基地局は、前記ＵＥが返した複数のアクセスポイント間の偏差校正情報に基づいて、複数のアクセスポイント間の偏差を校正する。異なるアクセスポイントが同時に共通ＵＥにデータを送信する時、互いの間に存在する偏差の問題を解決し、これによってシステムパフォーマンス及びスペクトル効率を向上させる。
【図面の簡単な説明】
【００１４】
【図１】図１は、関連技術Ｃｏｍｐで協調するマルチポイント通信システムの模式図である。
【図２】図２は、本発明の実施例が提供する、異なるアクセスポイント偏差校正方法の全体フロー模式図である。
【図３】図３は、本発明の実施例が提供する、異なるアクセスポイント偏差校正方法の全体フロー模式図である。
【図４】図４は、本発明の実施例が提供する基地局の構造模式図である。
【図５】図５は、本発明の実施例が提供するユーザ装置の構造模式図である。
【図６】図６は、本発明の実施例が提供する通信システムの構造模式図である。
【発明を実施するための形態】
【００１５】
本発明の実施例は、複数のアクセスポイント（Ａｃｃｅｓｓ  Ｐｏｉｎｔ、ＡＰ）間の偏差校正方法、システム及び装置を提供するもので、それによって異なるアクセスポイントが同時にＵＥにデータを送信する時、互いの間に存在する偏差の問題を解決し、これによってシステムパフォーマンス及びスペクトル効率を向上させる。
【００１６】
Ｃｏｍｐ技術は、複数のセルの複数のアクセスポイント又は一つのセルの複数のアクセスポイントが協調してユーザデータを伝送する方式により、ユーザ装置の信号受信品質を向上させ、セル間干渉を低下させ、これによって効果的にシステム数とエッジユーザスペクトル効率を向上させる。
【００１７】
本発明の実施例は、基地局により、ユーザ装置ＵＥが複数のアクセスポイント間の偏差校正情報を測定して返すように、ＵＥに指示メッセージを送信し、ＵＥは、前記指示に基づいて偏差校正情報を測定し、基地局の指示の折り返しで偏差校正情報を基地局に返し、基地局は、前記ＵＥが返した複数のアクセスポイント間の偏差校正情報に基づいて、複数のアクセスポイント間の偏差を校正する。
【００１８】
前記時間遅延差は、データを送信する各アクセスポイントのタイミング同期偏差及びチャンネル時間遅延差を同時に含んでもよく、チャンネル時間遅延差又はタイミング同期偏差のいずれかのみを含んでいてもよい。前記偏差校正情報は、位相校正情報及び時間遅延差を同時に含んでもよく、位相校正情報又は時間遅延差のいずれかのみを含んでいてもよい。前記ＵＥが位相校正情報のみをフィードバックする時、基地局自体は時間遅延差を検出する。前記ＵＥが位相校正情報及びチャンネル時間遅延差をフィードバックする時、基地局自体はタイミング同期偏差を検出する。
【００１９】
前記基地局とＵＥの互いの協力により、時間遅延差及び位相校正情報を測定し、又は時間遅延差のみを測定し、基地局は、取得した時間遅延差及び位相校正情報、又は取得した時間遅延差に基づいて、各アクセスポイントを調整して、ＵＥにデータを送信する。各アクセスポイントが、データを送信することによる時間遅延差及び位相差を解消し、システムのパフォーマンスを向上させる。
【００２０】
以下、図面により、それぞれ基地局側及びユーザ装置ＵＥ側から具体的に、本発明の実施例が提供する技術的解決手段を説明する。
【００２１】
まず、基地局側から、本発明の実施例が提供する技術的解決手段を説明する。
【００２２】
図２に示すように、本発明の実施例が提供する、複数のアクセスポイント間の偏差校正方法であって、
Ｓ１０１：基地局が、ＵＥが複数のアクセスポイント間の偏差校正情報を測定して返すように、ユーザ装置ＵＥに指示メッセージを送信するステップ、
Ｓ１０２：基地局が、前記ＵＥが返した複数のアクセスポイント間の偏差校正情報に基づいて、複数のアクセスポイント間の偏差を校正するステップ、
を含む。
【００２３】
好ましくは、前記基地局は、ＵＥが複数のアクセスポイント間の時間遅延差及び位相校正情報を測定して前記時間遅延差及び位相校正情報を返すように、指示メッセージをＵＥに送信し、基地局は、ＵＥが返した前記複数のアクセスポイント間の時間遅延差及び位相校正情報に基づいて、複数のアクセスポイント間の時間遅延差及び位相差を校正する。
【００２４】
好ましくは、基地局は、ＵＥが位相校正情報のみを返すように指示してもよく、基地局自体は、各アクセスポイントの間の時間遅延差を測定し、これによりデータフィードバックのオーバーヘッドを節約することができる。具体的には、基地局は、ＵＥが複数のアクセスポイント間の時間遅延差及び位相校正情報を測定して測定された複数のアクセスポイント間の位相校正情報を返すように、指示メッセージを前記ＵＥに送信し、基地局は、ＵＥが返した前記複数のアクセスポイント間の位相校正情報、及び自体が測定した時間遅延差に基づいて、複数のアクセスポイント間の時間遅延差及び位相差を校正する。
【００２５】
好ましくは、前記時間遅延差は、情報が各アクセスポイントからＵＥに到達することにより発生したチャンネル時間遅延差、及び各アクセスポイントのタイミング同期偏差を含む。
【００２６】
好ましくは、ＵＥが時間遅延差を返す過程中において、チャンネル時間遅延差のみを返してもよく、基地局自体は、タイミング同期偏差を測定する。具体的には、基地局は、ＵＥが複数のアクセスポイント間の時間遅延差及び位相校正情報を測定して測定された時間遅延差におけるチャンネル時間遅延差及び測定された位相校正情報を返すように、指示メッセージを前記ＵＥに送信し、基地局は、ＵＥが返した前記複数のアクセスポイント間のチャンネル時間遅延差及び位相校正情報、並びに基地局自体が測定した複数のアクセスポイント間の時間遅延差におけるタイミング同期偏差に基づいて、複数のアクセスポイント間の時間遅延差及び位相差を校正する。
【００２７】
好ましくは、基地局は、ＵＥが複数のアクセスポイント間の時間遅延差、位相校正情報及び幅校正情報を測定して前記位相校正情報及び幅校正情報を返すように、指示メッセージをＵＥに送信し、前記ステップＢは、基地局が、前記ＵＥが返した前記複数のアクセスポイント間の時間遅延差、位相校正情報及び幅校正情報、並びに自体が測定した時間遅延差に基づいて、複数のアクセスポイント間の時間遅延差及び位相差を校正することを含み、
又は、
前記ステップＡは、基地局が、ＵＥが複数のアクセスポイント間の時間遅延差、位相校正情報及び幅校正情報を測定して前記位相校正情報、幅校正情報及び時間遅延差を返すように、指示メッセージをＵＥに送信することを含み、前記ステップＢは、基地局が、ＵＥが返した位相校正情報、幅校正情報及び時間遅延差に基づいて、複数のアクセスポイント間の時間遅延差及び位相差を校正することを含み、
又は、
前記ステップＡは、基地局が、ＵＥが複数のアクセスポイント間の時間遅延差、位相校正情報及び幅校正情報を測定して前記位相校正情報、幅校正情報及びチャンネル時間遅延差を返すように、指示メッセージをＵＥに送信することを含み、前記ステップＢは、基地局が、ＵＥが返した前記複数のアクセスポイント間の位相校正情報、幅校正情報及びチャンネル時間遅延差、並びに前記基地局自体が測定した複数のアクセスポイント間の時間遅延差におけるタイミング同期偏差に基づいて、複数のアクセスポイント間の時間遅延差及び位相差を校正することを含む。
【００２８】
上記複数のアクセスポイント間の偏差校正方法は、各アクセスポイントが独立にプリコーディングされる場合のプリコーディングフィードバックメカニズムに対しての通信システムである。
【００２９】
グローバルプリコーディングの通信システムに対しては、各アクセスポイントの間には位相偏差が存在せず、時間遅延差のみが存在し、具体的には、複数のアクセスポイント間の偏差校正方法は、
基地局が、ＵＥが複数のアクセスポイント間の時間遅延差を測定して前記時間遅延差を返すように、指示メッセージをＵＥに送信し、基地局が、ＵＥが返した複数のアクセスポイント間の時間遅延差に基づいて、前記複数のアクセスポイント間の時間遅延差を校正することを含む。
【００３０】
好ましくは、基地局は、ＵＥが複数のアクセスポイント間の時間遅延差を測定するように、指示メッセージをＵＥに送信し、基地局は、自体が測定した複数のアクセスポイント間の時間遅延差に基づいて、複数のアクセスポイント間の時間遅延差を校正することであってもよい。これにより、情報フィードバックオーバーヘッドを節約することができる。
【００３１】
以下、ユーザ装置ＵＥ側から本発明の実施例が提供する技術的解決手段を説明する。
【００３２】
図３に示すように、本発明の実施例が提供した複数のアクセスポイント間の偏差校正方法であって、
Ｓ１１１：ユーザ装置ＵＥが、基地局が送信する、ＵＥが複数のアクセスポイント間の偏差校正情報を測定して返す指示メッセージを受信するステップ、
Ｓ１１２：前記ＵＥが、前記基地局の指示に基づいて前記複数のアクセスポイント間の偏差校正情報を測定し、前記偏差校正情報を基地局に返すステップ、
を含む。
【００３３】
具体的には、ＵＥは、基地局が送信した、ＵＥが複数のアクセスポイント間の時間遅延差及び位相校正情報を測定して返す指示メッセージを受信し、前記ＵＥは、基地局の指示に基づいて、前記時間遅延差及び位相校正情報を測定し、前記時間遅延差及び位相校正情報を基地局に返す。
【００３４】
好ましくは、ＵＥは、前記基地局が送信した、前記ＵＥが複数のアクセスポイント間の時間遅延差及び位相校正情報を測定する指示メッセージを受信し、且つ折り返しのための位相校正情報を測定し、ＵＥは、前記位相校正情報を基地局に返し、基地局は、ＵＥが返した位相校正情報及び自体が測定した時間遅延差に基づいて、時間遅延差及び位相情報を校正する。位相校正情報のみをフィードバックすることにより、データフィードバックオーバーヘッドを節約する。
【００３５】
好ましくは、前記時間遅延差は、チャンネル時間遅延差及びタイミング同期偏差を含む。
【００３６】
好ましくは、複数のアクセスポイント間の偏差校正方法は、ユーザ装置ＵＥが、基地局が送信する、ＵＥが複数のアクセスポイント間の、タイミング同期偏差とチャンネル時間遅延差を含む時間遅延差及び位相校正情報を測定し、測定されたチャンネル時間遅延差及び位相校正情報を返す指示メッセージを受信し、前記ＵＥが、基地局の指示に基づいて前記時間遅延差及び位相校正情報を測定し、前記チャンネル時間遅延差及び位相校正情報を基地局に返し、基地局は、前記チャンネル時間遅延差及び位相校正情報、並びに自体が測定したタイミング同期偏差に基づいて、時間遅延差及び位相差を校正することであってもよい。
【００３７】
好ましくは、前記ＵＥが前記位相校正情報を測定することは、各アクセスポイントのチャンネル行列に基づいて、前記各アクセスポイントの間の時間遅延差を測定し、前記測定された時間遅延差に基づいて前記各アクセスポイントのチャンネル行列を修正し、修正後のチャンネル行列に基づいて前記位相校正偏差を測定することである。
【００３８】
前記修正後のチャンネル行列に基づいて前記位相校正偏差を測定するのは、具体的には、修正後のチャンネル行列に基づいてプリコーディング行列インジケータＰＭＩの測定を行い、該ＰＭＩの値に基づいて位相校正偏差を測定することを含む。
【００３９】
好ましくは、本発明の実施例が提供する複数のアクセスポイント間の偏差校正方法は、ＵＥが、基地局が送信する、ＵＥが複数のアクセスポイント間の幅校正情報を測定して返す指示を受信することを含み、
前記ＵＥは、基地局の指示に基づいて、前記幅校正情報を測定し、前記幅校正情報を基地局に返す。
【００４０】
上記複数のアクセスポイント間の偏差校正方法は、各アクセスポイントが独立にプリコーディングされる場合のプリコーディングフィードバックメカニズムに対しての通信システムである。
【００４１】
グローバルプリコーディングの通信システムに対しては、各アクセスポイントの間には位相偏差が存在せず、時間遅延差のみが存在し、具体的には、複数のアクセスポイント間の偏差校正方法は、
ユーザ装置ＵＥが、基地局が送信した、ＵＥが複数のアクセスポイント間の時間遅延差を測定して測定された時間遅延差を返す指示を受信し、前記ＵＥが、基地局の指示に基づいて前記時間遅延差を測定し、該時間遅延差を基地局に返すことを含む。
【００４２】
好ましくは、グローバルプリコーディング又は独立プリコーディングの通信システムに対して、前記ＵＥは、基地局に時間遅延差又は位相校正情報を返すと同時に、又は時間遅延差及び位相差を返すと同時に、プリコーディング行列インジケータ情報を運び、該プリコーディング行列インジケータ情報は、基地局がＵＥに送信したデータをコーディングするように指示することに用いられ、そのうち、前記プリコーディング行列インジケータは、ＵＥが各アクセスポイントのチャンネル行列を修正した後で測定したものである。
【００４３】
好ましくは、本発明の実施例が提供する技術的解決手段は、ＵＥは、基地局の指示に基づいて、システム帯域幅全体に対して一つの時間遅延差を測定し、帯域幅全体における各サブ帯域に対して時間遅延差を測定することではなく、システムの計算又は測定のオーバーヘッドを減少させ、時間遅延差測定の効率を向上させ、且つＵＥが基地局に時間遅延差を返す時によるフィードバックオーバーヘッドを減少させる。
【００４４】
好ましくは、位相校正偏差を基地局にフィードバックすると同時に、プリコーディング行列インジケータＰＭＩを基地局に送信し、これにより、基地局は位相校正を行う時、ＵＥがフィードバックした該ＰＭＩと対応する位相校正偏差を使用して各アクセスポイントの位相を校正する。
【００４５】
以下、ユーザ装置及び基地局の両側から、本発明が提供する上記技術の解決手段の異なる実施例を提供する。
【００４６】
仮に、Ｃｏｍｐセル集合は、一つのセルからの複数のアクセスポイントＡＰ１、ＡＰ２、ＡＰ３を含み、又は複数の異なるセルからの複数のアクセスポイントＡＰ１、ＡＰ２、ＡＰ３を含むとする。
【００４７】
実施例1：仮に、アクセスポイントＡＰ１、ＡＰ２がＵＥに下りデータを同時に送信するとする。ＵＥは、同時にアクセスポイントＡＰ１、ＡＰ２の位相校正情報ＰＣＩ及び時間遅延差を測定してフィードバックする。
【００４８】
ＡＰ１とＡＰ２との間の偏差校正方法は、以下のステップを含む。
【００４９】
ステップ１：基地局は、ＵＥがＡＰ１とＡＰ２との間の時間遅延差及び位相校正情報の測定及びフィードバックを行うように設定する。
【００５０】
基地局は、ＵＥがＡＰ１とＡＰ２との間の時間遅延差の測定及び位相校正情報の測定を行うように設定し、且つＵＥがその測定した時間遅延差及び位相校正情報を基地局にフィードバックするように設定する。そのうち、ＰＣＩはＡＰ１とＡＰ２との間の時間遅延差を校正した後の測定値である。前記時間遅延差は、チャンネル時間遅延差及びタイミング同期偏差を含む。
【００５１】
ステップ２：基地局の指示に基づいて、時間遅延差を計算する。即ち、ＵＥは、前記基地局設定情報に基づいて、ＡＰ１とＡＰ２との間の時間遅延差を測定し、２つのＡＰのチャンネル行列に対して時間遅延差修正を行う。
【００５２】
ＡＰ１とＡＰ２との間の時間遅延差を測定することは、ＡＰ１とＡＰ２とのタイミング同期偏差Δｔ１、及び情報がそれぞれＡＰ１とＡＰ２からＵＥに到達してチャンネルにおいてもたらすチャンネル時間遅延差Δｔ２を含む。
【００５３】
ＵＥは、基地局の設定に基づいてＡＰ１とＡＰ２の下りデータの到達時間ｔ１とｔ２を測定し、次に前記時間ｔ１とｔ２に基づいて、ＡＰ１とＡＰ２の間の時間遅延差Δｔ（Δｔ１＋Δｔ２）を計算する。
【００５４】
ＵＥは、ＡＰ１及びＡＰ２の信号の到達時間ｔ１及びｔ２を測定し、普通は、ＡＰ１及びＡＰ２のそれぞれの下り参照信号に基づいて測定（例えば異なるＡＰの対応するＣＳＩ−ＲＳ又はＣＲＳ）を行う。同期チャンネル又はＰＲＳ等に基づいて測定を行ってもよい。
【００５５】
通信システムの帯域幅は複数の周波数が異なるサブバンドを含み、サブ帯域と称する。ＵＥは、各サブ帯域に対して時間遅延差の測定を行うことができ、一つのサブ帯域は一つの時間遅延差に対応する。帯域幅全体に対して時間遅延差の測定を行うことができ、一つのみの時間遅延差を測定する。例えば、仮にシステム帯域幅がｎ個の周波数が異なるサブ帯域を含むとする。ＵＥは、それぞれＡＰ１が送信した下りデータの帯域幅のサブ帯域１とＡＰ２が送信した下りデータの帯域幅のサブ帯域１の間の時間遅延差を測定し、ＡＰ１が送信した下りデータの帯域幅のサブ帯域２とＡＰ２が送信した下りデータの帯域幅のサブ帯域２との間の時間遅延差を測定し、類推して、ＡＰ１が送信した下りデータの帯域幅のサブ帯域ｎとＡＰ２が送信した下りデータの帯域幅のサブ帯域ｎとの間の時間遅延差を測定する。
【００５６】
好ましくは、ＵＥが基地局に時間遅延差をフィードバックする過程中において、フィードバックオーバーヘッドを節約するために、システム帯域幅全体に対しては一つのみの時間遅延差情報を測定して得ることができる。周波数が異なるサブ帯域に対してそれぞれ異なる時間遅延差を測定して得る必要がない。該時間遅延差を基地局にフィードバックする時、情報量が比較的小さく、チャンネル資源の占用率を節約し、且つＵＥが時間遅延差を測定する時、計算オーバーヘッドを節約し、効率を向上させることもできる。
【００５７】
２つのＡＰのチャンネル行列に対して時間遅延差修正を行うことは、ＵＥが、ＡＰ１とＡＰ２との間の時間遅延差が測定された後、ＵＥと２つのＡＰポイントのチャンネル行列Ｈ（ＡＰ１）及びＨ（ＡＰ２）に対して時間遅延差修正を行い、修正後のチャンネル行列Ｈ’（ＡＰ１）及びＨ’（ＡＰ２）を得ることである。
【００５８】
時間遅延差修正方法は、あるＡＰ、例えばＡＰ１を時間標準とすると、ＡＰ２を修正してＡＰ１の時間と揃うようにすることであってもよい。
【００５９】
前記時間基準ＡＰポイント選択方法は、該ＡＰがＵＥ常駐セルに対応するＡＰポイントであることをデフォルトし、又は、基地局が指定した時間遅延差で参照ＡＰポイントを校正し、該ＡＰポイントは基地局とＵＥが共に知ることが必要である。
【００６０】
ステップ３：ＵＥは、修正後のチャンネル行列に基づいて、ＡＰ１及びＡＰ２のそれぞれの独立のプリコーディング行列インジケータＰＭＩ及び対応する位相校正情報ＰＣＩ測定計算を行う。
【００６１】
修正後のチャンネル行列Ｈ’（ＡＰ１）及びＨ’（ＡＰ２）に対してプリコーディング行列インジケータＰＭＩの測定及び対応するＰＣＩの計算を行う。
【００６２】
システムが送信したデータ帯域幅は２つのサブ帯域を含むものとし、アクセスポイントＡＰ１に対して、Ｈ１’（ＡＰ１）及びＨ２’（ＡＰ１）は２つのサブ帯域に対応する修正後のチャンネルであり、アクセスポイントＡＰ２に対して、Ｈ１’（ＡＰ２）及びＨ２’（ＡＰ２）は２つのサブ帯域に対応する修正後のチャンネルである。Ｈ１’（ＡＰ１）及びＨ１’（ＡＰ２）は時間が揃い、Ｈ２’（ＡＰ１）及びＨ２’（ＡＰ２）は時間が揃う。Ｈ１’（ＡＰ１）に対してＰＭＩ１（ＡＰ１）を計算し、Ｈ１’（ＡＰ２）に対してＰＭＩ１（ＡＰ２）を計算し、ＰＭＩ１（ＡＰ１）及びＰＭＩ１（ＡＰ２）に対してＡＰ１及びＡＰ２の第１個のサブ帯域の間のＰＣＩ１を計算する。同様に、Ｈ２’（ＡＰ１）に対してＰＭＩ２（ＡＰ１）を計算し、Ｈ２’（ＡＰ２）に対してＰＭＩ２（ＡＰ２）を計算し、ＰＭＩ２（ＡＰ１）及びＰＭＩ２（ＡＰ２）に対してＡＰ１及びＡＰ２の第２個のサブ帯域の間のＰＣＩ２を計算する。即ち、ＰＣＩ１はアクセスポイントＡＰ１とＡＰ２の第１サブ帯域の間の位相校正情報に対応し、ＰＣＩ２はアクセスポイントＡＰ１とＡＰ２の第２サブ帯域の間の位相校正情報に対応する。
【００６３】
仮に、ＡＰ１とＡＰ２がそれぞれ複数のサブ帯域に対応すると、ＰＣＩｍは各アクセスポイント第ｍ個のサブ帯域の間の位相校正情報であり、そのうちｍは２より大きい。
【００６４】
ステップ４：ＵＥは、それぞれＡＰ１とＡＰ２との間の時間遅延差、ＰＭＩ１（ＡＰ１）、ＰＭＩ１（ＡＰ２）、ＰＭＩ２（ＡＰ１）、ＰＭＩ２（ＡＰ２）、及びＰＣＩ１とＰＣＩ２を基地局にフィードバックする。
【００６５】
時間遅延差の変化が比較的遅く、従って比較的低い頻度で時間遅延差のフィードバックを行うことができる。異なるサブ帯域に対応する時間遅延差のズレは非常に小さいため、測定フィードバックのオーバーヘッドを節約するために、システム帯域幅全体は一つのみの時間遅延差情報を測定してフィードバックしてもよく、それぞれ周波数が異なるサブ帯域の時間遅延差を測定してフィードバックする必要がない。
【００６６】
各アクセスポイントのそれぞれの独立のＰＭＩ及び対応するＰＣＩは、一緒にフィードバックする必要がある。ＰＣＩは各ＡＰポイントのＰＭＩに対応する。例えば、ＰＣＩ１はＰＭＩ１（ＡＰ１）及びＰＭＩ１（ＡＰ２）に対応し、ＰＣＩ２はＰＭＩ２（ＡＰ１）及びＰＭＩ２（ＡＰ２）に対応し、それに対応して、ＰＣＩｍはＰＭＩｍ（ＡＰ１）及びＰＭＩｍ（ＡＰ２）に対応する。
【００６７】
ステップ５：基地局は、ＵＥがフィードバックしたＡＰ１とＡＰ２との時間遅延差及びＰＣＩに基づいて、ＡＰ１及びＡＰ２点を調整して前記ＵＥにデータを送信する。受信したＰＭＩにより送信しようとする情報をプリコーディングし、プリコーディング後の情報をＵＥに送信する。
【００６８】
ＰＣＩの使用に対して、基地局がＵＥをスケジューリングしてＡＰ１及びＡＰ２に用いるＰＭＩがそれぞれＰＭＩ１（ＡＰ１）及びＰＭＩ１（ＡＰ２）であると、ＰＣＩ１を用いてＡＰ１及びＡＰ２の位相を調整し、基地局がＵＥをスケジューリングしてＡＰ１及びＡＰ２に用いるＰＭＩがそれぞれＰＭＩ２（ＡＰ１）及びＰＭＩ２（ＡＰ２）であると、ＰＣＩ２を用いてＡＰ１及びＡＰ２の位相を調整する。
【００６９】
該実施例において、ＡＰ１とＡＰ２との間の偏差校正方法は、
基地局は、ＵＥが位相校正情報を行うように設定すると同時に、ＵＥが幅校正情報を測定して返すように設定することを更に含む。ＵＥは、基地局の指示を受信し、幅校正情報を測定して返す。該幅校正情報は位相校正情報とともに基地局に返されてもよい。
【００７０】
前記幅校正情報は、修正後のチャンネル行列に対して計算を行い、つまり位相差を修正すると同時に、幅差を修正する。基地局は、前記幅校正情報を受信し、受信した位相校正情報及び幅校正情報に基づいて、位相差及び幅差を校正する。校正後のシステムのパフォーマンスがより高くなる。
【００７１】
本実施例において、ＵＥは、各アクセスポイントが配信したデータの時間遅延差及び位相校正情報を測定してフィードバックするように設定される。各アクセスポイント関連パラメーターを調整し、異なるＡＰポイントの偏差校正を実現し、システムパフォーマンス及びスペクトル効率を向上させる。
【００７２】
実施例２：基地局自体は時間遅延差を測定して校正し、ＵＥは時間遅延差及びＰＣＩを測定し、且つＰＣＩのみをフィードバックする。これにより、データのフィードバックによるオーバーヘッドを減少させることができる。
【００７３】
仮にアクセスポイントＡＰ１、ＡＰ２が同時に下りデータをＵＥに送信するものとする。
ＡＰ１とＡＰ２との間の偏差校正方法は、以下のステップを含む。
【００７４】
ステップ１：基地局は、ＵＥがＡＰ１とＡＰ２との間の時間遅延差の測定及び位相校正情報の測定を行うように設定し、及びＵＥがＡＰ１とＡＰ２との間の位相校正情報のフィードバックを行うように設定する。
【００７５】
基地局は、ＵＥがＡＰ１とＡＰ２との間の時間遅延差の測定及び位相校正情報の測定を行うように設定し、ＵＥが位相校正情報を基地局にフィードバックするように設定する。そのうち、位相校正情報ＰＣＩは、ＡＰ１とＡＰ２の間の時間遅延差を校正した後の測定値である。従って、ＵＥが時間遅延差の測定を行うように設定する必要がある。
【００７６】
ステップ２：ＵＥは、基地局の設定に基づいて、ＡＰ１とＡＰ２との間の時間遅延差を測定し、ＡＰ１とＡＰ２のチャンネル行列に対して時間遅延差修正を行う。（該ステップ２と実施例１におけるステップ２は同じである）
【００７７】
ＵＥは、基地局の設定に基づいて、ＡＰ１とＡＰ２との間の時間遅延差を測定する。ＵＥは、異なるＡＰの信号到達時間を測定し、普通は、ＡＰのそれぞれの下り参照信号に基づいて測定（例えば異なるＡＰの対応するＣＳＩ−ＲＳ又はＣＲＳ）を行い、同期チャンネル又はＰＲＳ等に基づいて測定を行ってもよい。
【００７８】
測定フィードバックのオーバーヘッドを節約するために、システム帯域幅全体に対しては一つのみの時間遅延差情報を測定して得ることができる。それぞれ周波数が異なるサブ帯域の時間遅延差を測定する必要がない。
【００７９】
ＵＥは、ＡＰ１とＡＰ２との間の時間遅延差を測定された後、ＵＥと２つのＡＰポイントのチャンネル行列Ｈ（ＡＰ１）及びＨ（ＡＰ２）に対して時間遅延差修正を行い、修正後のチャンネル行列Ｈ’（ＡＰ１）及びＨ’（ＡＰ２）を得る。ＵＥは、修正後のチャンネル行列に基づいて，ＡＰ１及びＡＰ２のそれぞれ独立のＰＭＩ及び対応するＰＣＩ測定計算を行う。
【００８０】
システム帯域幅は２つのサブ帯域を含むものとし、アクセスポイントＡＰ１に対して、Ｈ１’（ＡＰ１）及びＨ２’（ＡＰ１）は２つのサブ帯域に対応する修正後のチャンネルであり、アクセスポイントＡＰ２に対して、Ｈ１’（ＡＰ２）及びＨ２’（ＡＰ２）は２つのサブ帯域に対応する修正後のチャンネルである。Ｈ１’（ＡＰ１）及びＨ１’（ＡＰ２）は揃い、Ｈ２’（ＡＰ１）及びＨ２’（ＡＰ２）は揃う。Ｈ１’（ＡＰ１）に対してＰＭＩ１（ＡＰ１）を計算し、Ｈ１’（ＡＰ２）に対してＰＭＩ１（ＡＰ２）を計算し、ＰＭＩ１（ＡＰ１）及びＰＭＩ１（ＡＰ２）に対してＰＣＩ１を計算する。同様に、Ｈ２’（ＡＰ１）に対してＰＭＩ２（ＡＰ１）を計算し、Ｈ２’（ＡＰ２）に対してＰＭＩ２（ＡＰ２）を計算し、ＰＭＩ２（ＡＰ１）及びＰＭＩ２（ＡＰ２）に対してＰＣＩ２を計算する。即ち、ＰＣＩ１はアクセスポイントＡＰ１とＡＰ２の第１サブ帯域の間の位相校正情報に対応し、ＰＣＩ２はアクセスポイントＡＰ１とＡＰ２の第２サブ帯域の間の位相校正情報に対応する。
【００８１】
時間遅延差修正方法は、あるＡＰ、仮にＡＰ１を時間基準とすると、ＡＰ２を修正してＡＰ１時間と揃うようにすることであってもよい。
【００８２】
時間基準ＡＰポイント選択方法は、該ＡＰがＵＥ常駐セルに対応するＡＰポイントであることをデフォルトし、又は、基地局が指定した時間遅延差で参照ＡＰポイントを校正し、該ＡＰポイントは基地局とＵＥが共に知ることが必要である。
【００８３】
ステップ３：ＵＥは、それぞれ各アクセスポイントのそれぞれの独立のＰＭＩ及び対応するＰＣＩを基地局にフィードバックする。
【００８４】
各アクセスポイントのそれぞれの独立のＰＭＩ及び対応するＰＣＩは、一緒にフィードバックする必要がある。ＰＣＩは各協調点のＰＭＩに対応する。例えば、ＰＣＩ１はＰＭＩ１（ＡＰ１）及びＰＭＩ１（ＡＰ２）に対応し、ＰＣＩ２はＰＭＩ２（ＡＰ１）及びＰＭＩ２（ＡＰ２）に対応する。
【００８５】
ステップ４：基地局は、ＡＰ１とＡＰ２の間の時間遅延差測定を行う。
【００８６】
該時間遅延差は、チャンネル時間遅延差及びタイミング同期偏差を含む。
【００８７】
時間遅延差測定方法は、基地局は、ＵＥが送信した上り参照信号、例えばＳＲＳを測定し、ＵＥ及びＡＰ１とＡＰ２との間のチャネル伝搬時間遅延差Δｔ１を取得し、基地局が、同時にＡＰ１とＡＰ２点との間のタイミング同期偏差Δｔ２を測定する必要があることであってもよい。
【００８８】
ステップ５：基地局は、ＵＥがフィードバックしたＰＣＩ及び自体が測定した時間遅延差に基づいて、時間遅延差校正及び位相校正を行い、ＡＰ１及びＡＰ２点を調整して前記ＵＥにデータを送信する。
【００８９】
つまり、実施例２におけるステップ１〜ステップ３の内容は、実施例1におけるステップ１〜ステップ４の内容と同じである。区別は、実施例２において、ＵＥが時間遅延差及び位相校正情報を測定した後、基地局に位相校正情報のみをフィードバックし、基地局自体が時間遅延差を測定することにある。情報フィードバックによるチャンネル資源オーバーヘッドを減少させる。
【００９０】
同様に、該実施例は、基地局の幅校正情報への設定、及びＵＥの幅校正情報への測定とフィードバックを更に含んでもよく、具体的な実施過程は、実施例１に言及した幅校正情報関連の過程と同じである。もたらす有利な効果も同じである。
【００９１】
実施例３：ＡＰ１とＡＰ２との間のタイミング同期偏差は基地局自体で測定され、ＵＥは、無線チャネル伝搬によるＡＰ１とＡＰ２との間のチャンネル時間遅延差Δｔ１を測定してフィードバックし、同時にＰＣＩを測定して報告する。
【００９２】
アクセスポイントＡＰ１、ＡＰ２は、ＵＥに下りデータを同時に送信するものとする。
【００９３】
ＡＰ１とＡＰ２との間の偏差校正方法は、以下のステップを含む。
【００９４】
ステップ１：基地局は、ＵＥがＡＰ１とＡＰ２との間の時間遅延差及び位相校正情報の測定を行い、且つ時間遅延差におけるチャンネル時間遅延差をフィードバックするように設定する。
【００９５】
基地局は、ＵＥがＡＰ１とＡＰ２との間の時間遅延差の測定及び位相校正情報の測定を行うように設定する。そのうち、基地局及びＵＥはいずれも、仮に位相校正情報をＡＰ１とＡＰ２との間の時間遅延差を校正した後の測定値とし、且つ仮に基地局がすでにＡＰ１とＡＰ２との間のタイミング同期偏差の校正を達成したものとする。
【００９６】
ステップ２：ＵＥは、基地局の設定に基づいて、ＡＰ１とＡＰ２との間の時間遅延差を測定し、２つのＡＰのチャンネル行列に対して時間遅延差の修正を行い、時間遅延差の測定及びチャンネル行列の時間遅延差の修正は、実施例１又は実施例２二における方法と同じであり、、ここでは繰り返して説明しない。
【００９７】
ステップ３：ＵＥは、それぞれチャンネル時間遅延差、ＡＰ１とＡＰ２のそれぞれの独立のＰＭＩ及び対応するＰＣＩを、基地局にフィードバックする。
【００９８】
時間遅延差の変化が比較的遅く、従って比較的低い頻度でフィードバックを行うことができる。異なる帯域に対する時間遅延差ズレは非常に小さいため、測定フィードバックのオーバーヘッドを節約するために、システム帯域幅全体は一つのみの時間遅延差情報を測定してフィードバックしてもよく、周波数が異なるサブ帯域がそれぞれ異なる時間遅延差を測定してフィードバックする必要がない。
【００９９】
各協調アクセスポイントのそれぞれの独立のＰＭＩ及び対応するＰＣＩは、一緒にフィードバックする必要がある。ＰＣＩは各協調点のＰＭＩに対応する。例えば、ＰＣＩ１はＰＭＩ１（ＡＰ１）及びＰＭＩ１（ＡＰ２）に対応し、ＰＣＩ２はＰＭＩ２（ＡＰ１）及びＰＭＩ２（ＡＰ２）に対応する。
【０１００】
ステップ４：基地局は、ＡＰ１とＡＰ２との間のタイミング同期偏差の測定を行い、校正を行う。
【０１０１】
基地局は、各ＡＰポイント間のタイミング同期偏差を測定し、測定方法は、以下を含んでもよい。
【０１０２】
方法１：各ＡＰポイントはいずれもある一つの外部基準クロック源（例えばＧＰＳ、北斗システム）の信号を受信し、次に外部参照源とのタイミング同期偏差値を測定する。次に、基地局は、ＡＰ１とＡＰ２のタイミング同期偏差を校正する。
【０１０３】
方法２：各ＡＰポイント及び参照ＡＰポイント（即ち、仮にこのＡＰポイントの時間は基準点であるとし、その他のＡＰポイントの時間のオフセット量は該ＡＰの時間を基準とする。好ましくは主ＡＰポイントを基準点として設定する）は、同期情報をインタラクトし、次に、該ＡＰポイントの参照ＡＰポイントに対してのタイミング同期偏差値を計算する。次に、基地局は、ＡＰ１とＡＰ２のタイミング同期偏差を校正する。
【０１０４】
ステップ５：基地局は、ＵＥがフィードバックしたＡＰ１とＡＰ２のチャンネル時間遅延差及びＰＣＩに基づいてＡＰ１及びＡＰ２点の前記ＵＥへのデータ送信を調整する。
【０１０５】
ＰＣＩの使用に対して、基地局がＵＥをスケジューリングしてＡＰ１及びＡＰ２に用いるＰＭＩがそれぞれＰＭＩ１（ＡＰ１）及びＰＭＩ１（ＡＰ２）であると、ＰＣＩ１を用いて位相校正を行い、基地局がＵＥをスケジューリングしてＡＰ１及びＡＰ２に用いるＰＭＩがそれぞれＰＭＩ２（ＡＰ１）及びＰＭＩ２（ＡＰ２）であると、ＰＣＩ２を用いて位相校正を行う。
【０１０６】
同様に、該実施例は、基地局の幅校正情報への設定、及びＵＥの幅校正情報への測定及びフィードバックを更に含んでもよく、具体的な実施過程が実施例一つに言及した幅校正情報関連の過程と同じである。もたらす有利な効果も同じである。
【０１０７】
上記３つの実施例は、Ｃｏｍｐ技術中における独立プリコーディングフィードバックでのＡＰ１とＡＰ２との間の偏差校正に対しての方法である。
【０１０８】
ただし、上記３つの実施例において測定された位相校正情報は、ＡＰ１とＡＰ２との間のチャンネル行列位相校正情報であってもよく、例えば、行列における各要素を修正する必要があって且つ修正量が同じであると、行列全体に一つの修正係数を印加して、一つの位相校正情報を得ることができる。
【０１０９】
ＡＰ１とＡＰ２の行列におけるベクトルの間の校正情報であってもよく、例えば位相校正パケットは、ＡＰ１におけるベクトル１とＡＰ２におけるベクトル１との間の校正情報、及び／又はＡＰ１におけるベクトル５とＡＰ２におけるベクトル５との間の校正情報を含む。
【０１１０】
又は、ＡＰ１とＡＰ２の行列における要素の間の校正情報であってもよい。ある一つの行列に対して、異なるベクトルに位置する元素に異なる偏向量を印加する必要がある時、要素に対して位相校正情報の測定を行う。
【０１１１】
言い換えれば、前記位相校正情報の表現形式は、行列、ベクトル又は要素であってもよい。
【０１１２】
以下、Ｃｏｍｐ技術におけるグローバルプリコーディングフィードバック下でのＡＰ１とＡＰ２との間の偏差校正方法を紹介する。
【０１１３】
実施例４：基地局は、ＵＥがグローバルプリコーディングのＰＭＩ及び時間遅延差情報の測定及びフィードバックを行うように設定する。
【０１１４】
アクセスポイントＡＰ１、ＡＰ２は、ＵＥに下りデータを同時に送信するものとする。
【０１１５】
ＡＰ１とＡＰ２との間の偏差校正方法は、以下のステップを含む。
【０１１６】
ステップ１：基地局は、ＵＥがＡＰ１とＡＰ２との間のグローバルプリコーディングのＰＭＩ測定及びフィードバックを行うように設定する。
【０１１７】
基地局は、ＵＥがＡＰ１とＡＰ２との間のグローバルプリコーディングのＰＭＩの測定及びフィードバックを行うように設定する。そのうち、基地局及びＵＥはいずれも、グローバルプリコーディングのＰＭＩをＡＰ１とＡＰ２との間の時間遅延差を校正した後の測定値とする。
【０１１８】
前記時間遅延差は、チャンネル時間遅延差及びタイミング同期時間遅延差を含む。
【０１１９】
ステップ２：ＵＥは、基地局の設定に基づいて、ＡＰ１とＡＰ２との間の時間遅延差を測定し、２つのＡＰのチャンネル行列に対して時間遅延差の修正を行う。
【０１２０】
ＵＥは、基地局の設定に基づいて、ＡＰ１とＡＰ２との間の時間遅延差を測定する。ＵＥは、異なるＡＰの信号到達時間を測定し、普通は、ＡＰのそれぞれの下り参照信号に基づいて測定（例えば、異なるＡＰの対応するＣＳＩ−ＲＳ又はＣＲＳ）を行う。、同期チャンネル又はＰＲＳ等に基づいて測定を行ってもよい。
【０１２１】
ＵＥは、ＡＰ１とＡＰ２の間の時間遅延差を測定された後、ＵＥと２つのＡＰポイントのチャンネル行列Ｈ（ＡＰ１）及びＨ（ＡＰ２）に対して時間遅延差の修正を行い、修正後のチャンネル行列Ｈ’（ＡＰ１）及びＨ’（ＡＰ２）を得る。ＵＥは、修正後のチャンネル行列に基づいて、ＡＰ１及びＡＰ２のグローバルプリコーディングのＰＭＩの測定計算を行う。
【０１２２】
時間遅延差修正方法は、あるＡＰ、仮にＡＰ１を時間基準とすると、ＡＰ２を修正してＡＰ１時間と揃うようにすることである。
【０１２３】
時間基準ＡＰポイント選択方法は、該ＡＰがＵＥ常駐セルに対応するＡＰポイントであることをデフォルトし、又は、基地局が指定した時間遅延差で参照ＡＰポイントを校正し、該ＡＰポイントは基地局とＵＥが共に知ることが必要である。
【０１２４】
ステップ３：ＵＥは、グローバルプリコーディングのＰＭＩ、ＡＰ１及びＡＰ２の時間遅延差を基地局にフィードバックする。
【０１２５】
ステップ４：基地局は、ＵＥがフィードバックした時間遅延差に基づいて時間遅延差の校正を行い、ＡＰ１及びＡＰ２点を調整して前記ＵＥにデータを送信する。且つＵＥが、フィードバックしたグローバルプリコーディングのＰＭＩを利用して前記ＵＥデータのプリコーディングを行う。
【０１２６】
実施例５：基地局は、ＵＥがグローバルプリコーディングのＰＭＩの測定フィードバックを行うように設定し、基地局自体は時間遅延差を測定する。
【０１２７】
アクセスポイントＡＰ１、ＡＰ２は、ＵＥに下りデータを同時に送信するものとする。
【０１２８】
ＡＰ１とＡＰ２の間の偏差校正方法は、以下のステップを含む。
【０１２９】
ステップ１：基地局は、ＵＥがＡＰ１とＡＰ２との間のグローバルプリコーディングのＰＭＩの測定及びフィードバックを行うように設定する。
【０１３０】
基地局は、ＵＥがＡＰ１とＡＰ２との間のグローバルプリコーディングのＰＭＩの測定及びフィードバックを行うように設定する。そのうち、グローバルプリコーディングのＰＭＩは、ＡＰ１とＡＰ２との間の時間遅延差を校正した後の測定値である。
【０１３１】
ステップ２：ＵＥは、基地局の設定に基づいて、ＡＰ１とＡＰ２との間の時間遅延差を測定し、ＡＰ１及びＡＰ２のチャンネル行列に対して時間遅延差の修正を行う。
【０１３２】
ＵＥは、基地局の設定に基づいて、ＡＰ１とＡＰ２との間の時間遅延差を測定する。ＵＥは、異なるＡＰの信号到達時間を測定し、普通は、ＡＰのそれぞれの下り参照信号に基づいて測定（例えば異なるＡＰの対応するＣＳＩ−ＲＳ又はＣＲＳ）を行う。同期チャンネル又はＰＲＳ等に基づいて測定を行ってもよい。
【０１３３】
ＵＥは、ＡＰ１とＡＰ２との間の時間遅延差が測定された後、ＵＥ及び２つのＡＰポイントのチャンネル行列Ｈ（ＡＰ１）及びＨ（ＡＰ２）に対して時間遅延差の修正を行い、修正後のチャンネル行列Ｈ’（ＡＰ１）及びＨ’（ＡＰ２）を得る。ＵＥは、修正後のチャンネル行列に基づいて、ＡＰ１及びＡＰ２のグローバルプリコーディングのＰＭＩの測定計算を行う。
【０１３４】
時間遅延差修正方法は、あるＡＰ、仮にＡＰ１を時間基準とすると、ＡＰ２を修正してＡＰ１時間と揃うようにすることである。
【０１３５】
時間基準ＡＰポイント選択方法は、該ＡＰがＵＥ常駐セルに対応するＡＰポイントであることをデフォルトすることであり、
又は、基地局が指定した時間遅延差で参照ＡＰポイントを校正し、該ＡＰポイントは基地局とＵＥが共に知ることが必要である。
【０１３６】
ステップ３：ＵＥは、グローバルプリコーディングのＰＭＩを基地局にフィードバックする。
【０１３７】
ステップ４：基地局は、ＡＰ１とＡＰ２との間の時間遅延差測定を行う。
【０１３８】
時間遅延差測定方法は、基地局が、ＵＥが送信した上り参照信号、例えばＳＲＳを測定し、ＵＥ及びＡＰ１とＡＰ２との間のチャネル伝搬時間遅延差を取得し、基地局が同時に、ＡＰ１とＡＰ２点との間のタイミング同期偏差を測定する必要があることであってもよい。
【０１３９】
ステップ５：基地局自体が取得する時間遅延差情報を測定し、時間遅延差校正を行い、ＡＰ１及びＡＰ２点の前記ＵＥへのデータ送信を調整する。且つＵＥがフィードバックしたグローバルプリコーディングのＰＭＩを利用して、前記ＵＥデータのプリコーディングを行う。
【０１４０】
図４に示すように、本発明の実施例は基地局を更に提供しており、
ＵＥが複数のアクセスポイント間の偏差校正情報を測定して返すように、指示メッセージをユーザ装置ＵＥに送信するように設置される情報送信ユニット１１と、
前記ＵＥが返した複数のアクセスポイント間の偏差校正情報に基づいて、複数のアクセスポイント間の偏差を校正するように設置される偏差校正ユニット１２と
を含む。
【０１４１】
情報送信ユニット１１は、ＵＥが複数のアクセスポイント間の時間遅延差及び位相校正情報を測定し、測定された時間遅延差及び位相校正情報を返すように、指示メッセージをＵＥに送信するように設置され、偏差校正ユニット１２は、具体的に、ＵＥが返した前記複数のアクセスポイント間の時間遅延差及び位相校正情報に基づいて、複数のアクセスポイント間の時間遅延差及び位相差を校正することに用いられる。
【０１４２】
又は、情報送信ユニット１１は、ＵＥが複数のアクセスポイント間の時間遅延差及び位相校正情報を測定し、測定された複数のアクセスポイント間の位相校正情報を返すように、指示メッセージをＵＥに送信するように設置され、偏差校正ユニット１２は、具体的に、ＵＥが返した前記複数のアクセスポイント間の位相校正情報、及び自体が測定した時間遅延差に基づいて、複数のアクセスポイント間の時間遅延差及び位相差を校正することに用いられる。
【０１４３】
又は、情報送信ユニット１１は、ＵＥが複数のアクセスポイント間の時間遅延差及び位相校正情報を測定し、測定された時間遅延差におけるチャンネル時間遅延差及び測定された位相校正情報を返すように、指示メッセージをＵＥに送信するように設置され、偏差校正ユニット１２は、具体的に、ＵＥが返した前記複数のアクセスポイント間のチャンネル時間遅延差及び位相校正情報、並びに基地局自体が測定した複数のアクセスポイント間の時間遅延差におけるタイミング同期偏差に基づいて、複数のアクセスポイント間の時間遅延差及び位相差を校正することに用いられる。
【０１４４】
又は、情報送信ユニット１１は、ＵＥが複数のアクセスポイント間の時間遅延差、位相校正情報及び幅校正情報を測定し、前記位相校正情報及び幅校正情報を返すように、指示メッセージをＵＥに送信するように設置され、偏差校正ユニット１２は、ＵＥが返した前記複数のアクセスポイント間の時間遅延差、位相校正情報及び幅校正情報、並びに自体が測定した時間遅延差に基づいて、複数のアクセスポイント間の時間遅延差及び位相差を校正することに用いられ、
又は、
情報送信ユニット１１は、ＵＥが複数のアクセスポイント間の時間遅延差、位相校正情報及び幅校正情報を測定し、前記位相校正情報、幅校正情報及び時間遅延差を返すように、指示メッセージを前記ＵＥに送信するように設置され、偏差校正ユニット１２は、ＵＥが返した位相校正情報、幅校正情報及び時間遅延差に基づいて、複数のアクセスポイント間の時間遅延差及び位相差を校正することに用いられ、
又は、
情報送信ユニット１１は、ＵＥが複数のアクセスポイント間の時間遅延差、位相校正情報及び幅校正情報を測定し、前記位相校正情報、幅校正情報及びチャンネル時間遅延差を返すように、指示メッセージをＵＥに送信するように設置され、偏差校正ユニット１２は、ＵＥが返した前記複数のアクセスポイント間の位相校正情報、幅校正情報及びチャンネル時間遅延差、並びに基地局自体が測定した複数のアクセスポイント間の時間遅延差におけるタイミング同期偏差に基づいて、複数のアクセスポイント間の時間遅延差及び位相差を校正することに用いられる。
【０１４５】
又は、情報送信ユニット１１は、ＵＥが複数のアクセスポイント間の時間遅延差を測定し、前記時間遅延差を返すように、指示メッセージをＵＥに送信するように設置され、偏差校正ユニット１２は、具体的に、前記ＵＥが返した複数のアクセスポイント間の時間遅延差に基づいて、複数のアクセスポイントに対して時間遅延差の校正を行うことに用いられる。
【０１４６】
又は、情報送信ユニット１１は、ＵＥが複数のアクセスポイント間の時間遅延差を測定するように、指示をＵＥに送信するように設置され、偏差校正ユニット１２は、具体的に、自体が測定した複数のアクセスポイント間の時間遅延差に基づいて、複数のアクセスポイントに対して時間遅延差の校正を行うことに用いられる。
【０１４７】
図５に示すように、本発明の実施例は、ユーザ装置を更に提供しており、
基地局が送信した、ＵＥが複数のアクセスポイント間の偏差校正情報を測定して返す指示メッセージを受信するように設置される情報受信ユニット２１と、
基地局の指示に基づいて、前記複数のアクセスポイント間の偏差校正情報を測定し、前記偏差校正情報を前記基地局に返すように設置される情報送信ユニット２２と
を含む。
【０１４８】
情報受信ユニット２１は、基地局が送信した、ＵＥが複数のアクセスポイント間の時間遅延差及び位相校正情報を測定して返す指示を受信し、情報送信ユニット２２は、具体的に、基地局の指示に基づいて、前記時間遅延差及び位相校正情報を測定し、前記時間遅延差及び位相校正情報を基地局に返すことに用いられ、
又は、
情報受信ユニット２１は、基地局が送信した、ＵＥが複数のアクセスポイント間の時間遅延差及び位相校正情報を測定し、且つ測定された位相校正情報を返す指示メッセージを受信するように設置され、情報送信ユニット２２は、具体的に、前記位相校正情報を基地局に返すことに用いられ、基地局は、ＵＥが返した位相校正情報及び自体が測定した時間遅延差に基づいて時間遅延差及び位相情報を校正し、
又は、
情報受信ユニット２１は、基地局が送信した、ＵＥが前記複数のアクセスポイント間の、タイミング同期偏差とチャンネル時間遅延差を含む時間遅延差及び位相校正情報を測定し、測定されたチャンネル時間遅延差及び位相校正情報を返す指示メッセージを受信するように設置され、情報送信ユニット２２は、具体的に、基地局の指示に基づいて前記時間遅延差及び位相校正情報を測定し、前記チャンネル時間遅延差及び位相校正情報を基地局に返すことに用いられ、基地局は、前記チャンネル時間遅延差及び位相校正情報、並びに自体が測定したタイミング同期偏差に基づいて時間遅延差及び位相差を校正する。
【０１４９】
好ましくは、情報受信ユニット２１は、基地局が送信した、ＵＥが複数のアクセスポイント間の幅校正情報を測定して返す指示メッセージを受信するように設置され、
情報送信ユニット２２は、基地局の指示に基づいて、前記幅校正情報を測定し、前記幅校正情報を基地局に返すように設置される。
【０１５０】
上記４つの場合において、前記ＵＥは、前記位相校正情報を測定し、具体的に、各アクセスポイントのチャンネル行列に基づいて、前記各アクセスポイントの間の時間遅延差を測定し、前記測定された時間遅延差に基づいて、前記各アクセスポイントのチャンネル行列を修正し、修正後のチャンネル行列に基づいて、前記位相校正偏差を測定する。
【０１５１】
情報受信ユニット２１は、基地局が送信した、ＵＥが複数のアクセスポイント間の時間遅延差を測定し、測定された時間遅延差を返す指示メッセージを受信するように設置され、情報送信ユニット２２は、基地局の指示に基づいて前記時間遅延差を測定し、該時間遅延差を基地局に返すように設置され、情報送信ユニット２２は、ＵＥが基地局に時間遅延差又は位相校正情報を返すと同時に、プリコーディング行列インジケータ情報を運ぶように設置され、該プリコーディング行列インジケータ情報は基地局がＵＥに送信したデータをコーディングするように指示することに用いられ、そのうち、前記プリコーディング行列インジケータは、ＵＥが各アクセスポイントのチャンネル行列を修正した後で測定したものである。
【０１５２】
好ましくは、前記ＵＥは、基地局の指示に基づいて前記時間遅延差を測定し、前記ＵＥは基地局の指示に基づいて、システム帯域幅全体に対して一つの時間遅延差を測定する。
【０１５３】
図６に示すように、本発明の実施例は、通信システムを更に提供しており、
ＵＥが複数のアクセスポイント間の偏差校正情報を測定して返すように指示メッセージをユーザ装置ＵＥに送信し、及び前記ＵＥが返した複数のアクセスポイント間の偏差校正情報に基づいて、複数のアクセスポイント間の偏差を校正するように設置される基地局１１１と、
基地局が送信した、ＵＥが複数のアクセスポイント間の偏差校正情報を測定して返す指示メッセージを受信し、及び基地局の指示に基づいて前記複数のアクセスポイント間の偏差校正情報を測定し、前記偏差校正情報を基地局に返すように設置されるユーザ装置ＵＥ１１２と
を含む。
【０１５４】
以上のように、本発明の実施例中において、ＵＥは、基地局が送信した設定情報を受信する。該設定情報は、ＵＥが異なるアクセスポイント偏差を校正することに必要な資源を取得するように指示し、及びＵＥが前記資源又は資源のうちの一部の情報を基地局にフィードバックするように指示し、そのうち、前記資源は、各アクセスポイントが下りデータを送信する時に発生した遅延校正偏差及び前記遅延校正偏差に基づいて取得した位相校正偏差を含む。前記ＵＥは、各アクセスポイントが送信した下りデータを受信した時、前記設定情報に基づいて前記資源を取得し、前記資源又は資源のうちの一部の情報を基地局にフィードバックする。基地局は、該資源又は資源のうちの一部の情報を利用して、各アクセスポイントの間の偏差を校正する。各アクセスポイントが独立にコードブックをフィードバックすることによる位相差問題、及びＡＰポイントの間の時間遅延差問題を解決し、システムパフォーマンス及びスペクトル効率を向上させる。
【０１５５】
明らかに、当業者は、本発明の趣旨及び範囲を逸脱することなく、本発明に対して様々な修正及び変更を行ってもよい。これにより、本発明のこれらの修正及び変更は本発明の請求の範囲及びその同等技術の範囲内に属するものであり、本発明は、これらの修正及び変更を含む。
【０１５６】
一般の当業者は、上記方法における全部又は一部のステップをプログラムによって関連ハードウェアに命令を出して完成させることもができる。前記プログラムは、コンピュータ読み取り可能な記憶媒体、例えば読取り専用メモリ、ディスク又は光ディスク等に記憶しておけばよいことは、理解可能である。選択肢として、上記実施例の全部又は一部のステップが、一つ又は複数のＩＣにより実現されてもよい。それに対応して、上記実施例における各モジュール／ユニットは、ハードウェアの形式で実現されてもよく、ソフトウェア機能モジュールの形式で実現されてもよい。本発明は、如何なる特定形式のハードウェアとソフトウェアの組合せに限らない。
【０１５７】
以上の実施例は、本発明の技術的解決手段を説明するためのものに過ぎず、制限するためのもではなく、好ましい実施例のみを参照して本発明を詳しく説明した。一般の当業者は、本発明の解決手段の趣旨及び範囲を逸脱することなく本発明の技術的解決手段に対して修正又は同等置換を行ってもよく、これらの修正又は同等置換はいずれも本発明の請求の範囲に属すべきものである。
【産業上の利用可能性】
【０１５８】
本発明の実施例は、異なるアクセスポイントが同時に共通ＵＥにデータを送信する時、互いの間に存在する偏差の問題を解決し、これによってシステムパフォーマンス及びスペクトル効率を向上させる。
【図１】
0005957595.tif 000002
【図２】
0005957595.tif 000003
【図３】
0005957595.tif 000004
【図４】
0005957595.tif 000005
【図５】
0005957595.tif 000006
【図６】
0005957595.tif 000007